(57)【要約】【課題】従来の供養形態を崩すことなく、従来よりも低コストで、簡易に法事を行い得る供養用アルバムを提供する。【解決手段】第１の表紙（２）と第２の表紙（３）とを連接部（４）で折返し可能に連接したアルバム本体（１Ａ）において、前記第１の表紙（２）の裏面に、四方形の板体（６）と、この板体（６）の４角に配した掛止用テープ（８ａ、８ｂ、８ｃ、８ｄ）からなる供養用写真装着部（９）を設けて記念写真（１２）を装着し、前記第２の表紙（３）の裏面に、四方形の板体（７）に戒名装着部（１０）を設けて、この戒名装着部（１０）に戒名短冊（１５）を装着する。【選択図】      図２
0003183889.tif 000002
【実用新案登録請求の範囲】
【請求項１】
第１の厚手表紙と第２の厚手表紙とを両表紙の一辺で折り返し可能に連結したアルバム本体において、前記第１の厚手表紙と第２の厚手表紙の綴じ状態で相対する裏紙面の一方に供養する故人の写真を装着する供養写真装着部を設けるとともに、相対する裏紙面の他方に故人の戒名を装着する戒名装着部を設けたことを特徴とする供養用アルバム。
【請求項２】
前記戒名装着部は、戒名を記載した短冊を前記厚手表紙の裏面に貼着したものであるこ
とを特徴とする請求項１記載の供養用アルバム。
【請求項３】
前記戒名装着部は、前記厚手表紙の裏面に、中央部分に長穴を有する四辺形状のガイド枠板をその少なくとも一辺を空部とし、他辺を固着して備えており、このガイド枠板と前記厚手表紙との空部より戒名を記載した短冊を挿脱着するようにしたものであることを特徴とする請求項１記載の供養用アルバム。
【請求項４】
前記戒名装着部は、前記厚手表紙の裏面に、中央部分に長穴を有する四辺形状のガイド枠板を固着するとともに、前記厚手表紙の前記ガイド枠板の長穴相当部分と戒名を記載した戒名板の裏面のいずれか一方に磁石を他方に磁性体を設け、前記戒名板を、前記ガイド枠板の長穴に装着し、磁力により固着するようにしたことを特徴とする請求項１記載の供養用アルバム。
【請求項５】
前記厚手表紙の前記ガイド枠板の長穴相当部分は、磁石若しくは磁性体を設けると共に、前記戒名板の裏面よりも深く凹部を形成してなる遺骨収納部を設けるようにしたことを特徴とする請求項４記載の供養用アルバム。
【考案の詳細な説明】
【技術分野】
【０００１】
本考案は、近親者等に物故者が出た場合などに仏事において、簡易で、かつ心のこもる供養をなし得る供養用アルバムに関する。
【背景技術】
【０００２】
従来、肉親、近親者などに、物故者が出た場合、その仏事に係る追悼・供養をする告別式の葬儀場において物故者の遺影を掲げるとともに、式後の焼場への移動の際には、物故者の遺影（写真）、戒名、位牌などの、それぞれを、近親者が数人で個別に手にして移動し、それぞれ告別式場、焼却場、続く各場に応じた供養を行うようにしている。
一方、従来、仏事における物故者に係る写真及び戒名が多くの参列者に配布されることは、それほどなく、仏事の際、親族などから、新仏の記念となる写真等を求められ、求めに応じて焼き増しした写真を渡し、撮影の時期・場所などを説明していたのが一般的であったところから、将来、新仏の生前を思い出す資料として利用出来るよう、新仏となった肉親者の追悼と供養にふさわしい品として、主体は撮影時の状況など説明文を付けた１０枚前後の写真、巻頭に新仏に棒呈する詞、巻末に配偶者若しくは遺族代表者による惜別の詩、これに相応する表紙、の四段階の編集で作成するようにした記念アルバムが開示されている（例えば特許文献１参照）。
【先行技術文献】
【特許文献】
【０００３】
【特許文献１】特開２００１−８０２４０号公報
【考案の概要】
【考案が解決しようとする課題】
【０００４】
上記したように、従来、物故者に係る仏事において、法事の参列者に、物故者の生存時の写真と、さらに参列者への戒名などを付した物故者に係る内容を、手間を掛けることなく各参列者に届けるということが困難であった。
【０００５】
また、上記特許文献１に記載の記念アルバムでは、従来より、多くの情報、具体的には、撮影時の状況などの説明文を付けた１０枚前後の写真、巻頭の新仏に棒呈する詞、巻末に配偶者若しくは遺族代表による惜別の詩、これに相応する表紙から構成されるものであり、従来に比べて、より多くの情報が、親族など各参列者に故人の生前を思い出す資料を渡せるようになった。
【０００６】
しかし、この特許文献１に記載の記念アルバムにおいては、写真の他に多くの情報を記載するものであるため、製作に手間、費用を要するおそれがある上、小冊子状の記念アルバムであるため、参列者の誰もが見れるように卓上等に立てることが出来ないという問題がある。
【０００７】
一方、近年の仏事に係る葬儀事情として、核家族や高齢化、各自の予算事情に伴い、従来の葬儀の形態にこだわることなく、従来の葬儀の慣習にとらわれることなく、小予算・小人数での仏事に係る葬儀の実施の実現への要望が増加して来ている。
【０００８】
本考案は、上記問題点に着目してなされたものであって、簡単な構成で製作に手間を要することなく、従来より安価に製作でき、仏事に係る法事当日の移動が容易で、保管場所を選ばず、法事の度の煩わしさを軽減でき、場所を特定せず、手元供養を実現でき、さらに従来の供養形態を崩すことなく仏事を行い得る供養用アルバムを提供することを目的とする。
【課題を解決するための手段】
【０００９】
上記目的を達成するために、本考案の供養用アルバムは、第１の厚手表紙と第２の厚手表紙とを両表紙の一辺で折り返し可能に連結したアルバム本体において、前記第１の厚手表紙と第２の厚手表紙の綴じ状態で相対する裏紙面の一方に供養する故人の写真を装着する供養写真装着部を設けるとともに、相対する裏紙面の他方に故人の戒名を装着する戒名装着部を設けたことを特徴とする。
本考案の供養用アルバムにおいて、更に具体的に、前記戒名装着部は、戒名を記載した短冊を前記厚手表紙の裏面に、貼着したものであることとしても良い。
【００１０】
また、本考案の供養用アルバムにおいて、更に具体的に、前記戒名装着部は、
前記厚手表紙の裏面に、中央部分に長穴を有する四辺形状のガイド枠板を、その少なくとも一辺を空部とし、他辺を固着して備えており、このガイド枠板と前記厚手表紙との空部より戒名を記載した短冊を挿脱着するようにしたものであることとしても良い。
【００１１】
また、本考案の供養用アルバムにおいて、更に具体的に、前記戒名装着部は、前記厚手表紙の裏面に、中央部分に長穴を有する四辺形状のガイド枠板を固着するとともに、前記厚手表紙の前記ガイド枠板の長穴相当部分と、戒名を記載した戒名板の裏面の、いずれか一方に磁石を他方に磁性体を設け、前記戒名板を、前記ガイド枠板の長穴に装着し、磁力により固着するようにしたものであることとしても良い。
【００１２】
また、本考案の供養用アルバムにおいて、更に具体的に、前記厚手表紙の前記ガイド枠板の長穴相当部分は、磁石若しくは磁性体を設けると共に、前記戒名板の裏面よりも深く凹部を形成してなる遺骨収納部を設けるようにしたものであることとしても良い。
【考案の効果】
【００１３】
本考案によれば、第１の厚手表紙と第２の厚手表紙の相対向する紙面の一方に供養写真装着部を設け、相対する紙面の他方に戒名装着部を設けているので、本考案の供養用アルバムを用いて仏事に係る法事を行うことにより、次の効果を得ることが出来る。
１）従来の法事に比し安価に実施できる。
２）葬儀当日の移動が容易である。
３）場所を選ぶことなく保管できる。
４）設置場所を特定する必要がないので手元供養に適している。
５）従来の供養形態を崩すことなく、それでいて従来より法事の煩わしさを軽減できる。
【図面の簡単な説明】
【００１４】
【図１】本考案の実施形態１に係る供養用アルバムを示す図であり、（ａ）は、同供養用アルバムの平面図、（ｂ）は、同供養用アルバムの側面図である。
【図２】同実施形態に係る供養用アルバムを机上などに立てた状態を示す斜視図である。
【図３】同実施形態に係る供養用アルバムの供養写真装着部の具体例を示す平面図である。
【図４】同実施形態に係る供養用アルバムの戒名紙を示す平面図である。
【図５】本考案の実施形態２に係る供養用アルバムを示す図であり、（ａ）は、同供養用アルバムの平面図、（ｂ）は、同供養用アルバムの側面図である。
【図６】本考案の実施形態３に係る供養用アルバムの要部である戒名装着部の分解斜視図を示す図である。
【図７】本考案の実施形態４に係る供養アルバムの要部である戒名装着部の分解斜視図を示す図である。
【考案を実施するための形態】
【００１５】
以下、実施の形態により、本考案をさらに詳細に説明する。
〔実施形態１〕
図１は、本考案の一実施形態供養用アルバムを示す図であり、図１の（ａ）は、同供養用アルバムの平面図、図１の（ｂ）は、同供養用アルバムの側面図であり、図２は同供養用アルバムを机上などに立てた状態を示す斜視図である。
【００１６】
この供養用アルバム１Ａは、外形が通常市販の写真アルバムの写真収納ページを除いた表表紙と裏表紙とからなるものと同様、四角形の第１の表紙２と、同じく四角形の第２の表紙３が、連接部４により、それぞれの表面を互いに接離開閉自在に連接されている。
第１の表紙２，及び第２の表紙３は、一体的な一枚の布地あるいはビニール地等の生地５に、厚手の紙、樹脂材等の板体６，７が貼着されて厚手に形成されている。この第１の表紙２及び第２の表紙３は、板体６，７が布地等によって被覆されて、厚手に形成されるものであっても良い。
【００１７】
第１の表紙２の裏面の板体６の角４隅には、板体６の横辺から縦辺にかけて布地のテープ８ａ、８ｂ、８ｃ、８ｄが、設けられている。この板体６とテープ８ａ、８ｂ、８ｃ、８ｄで、供養写真装着部９を構成している。一方、第２の表紙３の裏面の板体７は、その表面に後述する故人の戒名を記載した短冊紙を貼着する戒名装着部１０を構成している。
本実施形態供養用アルバムは、身内等に物故者が出たときに使用されるものであり、新仏の写真１２を、図３に示すように四辺形の紙片１３に貼り付け、この写真１２貼付の紙片１３の４角１４ａ、１４ｂ、１４ｃ、１４ｄをそれぞれ供養写真装着部９の４隅のテープ８ａ、８ｂ、８ｃ、８ｄに潜らせて装着する。また、例えば、図４に示す故人の戒名の記載された短冊（戒名紙）１５を、板体７の貼付部７Ａに貼付して使用される。
【００１８】
本実施形態供養用アルバムにおいて、上記したように、供養写真装着部９に、新仏の写真１２貼付の紙片１３を装着し、戒名装着部１０の板体７上に戒名短冊１５を貼付した供養用アルバム１Ａを、図２に示す姿勢で卓上、机上、墓前、等において立てて使用することにより、葬儀場、寺院、墓地、焼場などの場所に関わることなく法事を営み、故人に対する供養を行うことができる。
【００１９】
また、この供養用アルバム１Ａを必要に応じ複数冊作成し、法事出席者や近親者に配布することができ、配布を受けた法事出席者、近親者は、この供養用アルバムを用いて、それぞれ末長く故人を供養することができる。これらの点は、後記する他の実施形態供養用アルバムにおいても同様である。
【００２０】
なお、この実施形態１においては、供養写真装着部９は、４隅のテープ８ａ、８ｂ、８ｃ、８ｄで、台紙１３に貼付された供養写真１２を装着するようにしており、戒名装着部１０は、戒名を記載した短冊１５を貼付するようにしているが、供養写真装着部９への写真の装着をテープ８ａ、８ｂ、８ｃ、８ｄを設けることなく、直接貼付するようにしてもよい。また、戒名装着部１０は、４隅にテープを設け、戒名を貼付した用紙を装着するようにしても良い。
〔実施形態２〕
次に、実施形態２について説明する。図５は、本実施形態の供養用アルバムを示す図であり、図５の（ａ）は、同供養用アルバムの平面図、図５の（ｂ）は、同供養用アルバムの側面図である。
【００２１】
この実施形態供養用アルバム１Ｂも、四角形の第１の表紙２と、同じく四角形の第２の表紙３が、連接部４により、それぞれの表面を接離開閉自在に連接されているものである点、及び供養写真装着部９の四隅にテープ８ａ、８ｂ、８ｃ、８ｄを設ける点で実施形態１のものと変わるところはない。
【００２２】
この実施形態供養用アルバムの特徴は、第２の表紙３の裏面の板体７上に、中央部分に長穴１６を有する四辺形状のガイド枠板１７を備え、このガイド枠板１７の上辺部１７ａを、板体７の上面７ａに貼着するようにしたことである。このガイド枠板１７の上辺部１７ａのみが第２の表紙３の裏面の板体７上に貼着されており、他の端辺部１７ｂ、１７ｃ、１７ｄは開放されている。
【００２３】
この実施形態供養用アルバムにおいて、戒名短冊を装着する場合に、例えば、図４に示す戒名短冊１５を、ガイド枠板１７の下端辺１７ｃを少し持ち上げて板体７面とガイド枠板１７の間に戒名短冊１５を挿入し、戒名短冊１５の上端１５ａがガイド枠板１７の上辺１７ａの貼着部に達した状態で挿着を終了する。挿着後、図２に示す態様で使用しても、戒名短冊１５が落下する恐れが無いが、より安定した状態で戒名短冊１５を装着しておくために、挿着後、板体７の下端の上面７ｃとガイド枠板１７の下端辺１７ｃ部分とを糊着けするか、透明テープで留めておいても良い。
【００２４】
なお、この実施形態２においては、ガイド枠板１７の上辺部１７ａを板体７の上端の上面７ａに貼着しており、戒名短冊１５を、ガイド枠板１７の下辺部１７ｃの方より挿入するようにしているが、これに代えて、ガイド枠板１７の上辺部１７ａは板体７の上端の上面７ａと開放しておき、逆にガイド枠板１７の下辺部１７ｃと板体７の下端の上面７ｃとを貼着しておき、戒名板１５をガイド板１７の上辺部１７ａより下方に向けて戒名板１５を装着するようにしても良い。
【００２５】
また、ガイド枠板１７の上辺部１７ａを除き、右辺部１７ｂ、下辺部１７ｃ、左辺部１７ｄを板体７に貼着して、板体７とガード枠板１７との間で戒名短冊１５を上方より挿入可能に構成し、ガイド枠板１７の上辺部１７ａから戒名短冊１５を下方に向けて挿着するようにしても良い。
〔実施形態３〕
次に実施形態３について説明する。図６は、実施形態３の供養用アルバム１Ｃの要部分解斜視図である。
【００２６】
この実施形態供養用アルバム１Ｃも、四角形の第１の表紙２と四角形の第２の表紙３が連結部４により、それぞれ内面に開閉自在に連接されてなるものである点で実施形態１，２のものと変わるところはない。この実施形態供養用アルバムの特徴とするところは、戒名装着部１０として、第２の表紙３の裏面の板体７の上面に、中央部分に戒名を記載した戒名板１８を挿入するための長方形状の長穴１９を形成したガイド枠板２０を設け、このガイド枠板２０の長穴１９に、戒名板１８を挿着するように構成したことである。
【００２７】
この実施形態供養用アルバム１Ｃの戒名装着部１０では、戒名板１８の脱着を容易にするとともに、装着中は、戒名板１８の脱落を防止するために、戒名板１８の裏面全体あるいは、部分的に、磁性体金属２１を設けると共に、板体７の中央部分の長穴１９に相当する領域に磁石２２を設けている。
【００２８】
この実施形態供養用アルバムを葬儀等に使用する時は、故人の供養用写真を、供養写真装着部９に装着するとともに、表に戒名が記載された或いは戒名が添付された戒名板１８を、ガイド枠板２０の長穴１９に挿着し、ガイド枠板２０の裏面の磁性体２１が長穴１９の磁石２２により吸着固定される。
【００２９】
この実施形態供養用アルバムによれば、戒名板１８を、ガイド枠板２０の長穴１９に挿着するだけで簡単に戒名を供養用アルバムに装着でき、しかも磁性体２１と磁石２２で強固に装着することができ、供養用アルバムを卓上などに安定して設置できる。
〔実施形態４〕
さらに実施形態４について、説明する。図７は実施形態４に係る供養用アルバムの要部分解斜視図である。この実施形態供養用アルバム１Ｄも、実施形態３に係るものと同様、戒名装着部１０として、第２の表紙３の裏面の板体７の上面中央部分に戒名板１８を挿着するための長方形状の長穴１９を形成したガイド枠板２０を設け、このガイド枠板２０の長穴１９に戒名板１８を挿着するように構成した点、及び戒名板１８の脱着を容易にし、かつ戒名板１８の脱落を防止するために、戒名板１８の裏面に磁性体金属２１を設けると共に、長穴１９の底部に磁石２２を設けている点で、実施形態３と同様である。
【００３０】
この実施形態供養用アルバムでは特徴として、さらに図７に示すように、長穴１９の底部の板体７に磁石２２設けるとともに、さらに磁石２２に並置して、戒名板１８の裏面（板体７の上面）よりも深く凹部を形成した遺骨収容部２３を設けている。焼場で遺骨を収集する際は、戒名板１８を、長穴１９から外し、収集した粉状・粒状の遺骨を、遺骨収納部２３に入れる。その後、戒名板１８をガイド枠板２０の長穴１９に装着し、遺骨収納部２３を蓋して供養用アルバム１Ｄとともに、法事箇所に移動して供養する。これにより、従来遺骨は、故人の写真、位牌などとは別に、壺に入れて飾り、あるいは運んでいたものであるが、本実施形態供養用アルバムでは、写真、戒名等と併せて、遺骨を収納し、この供養用アルバムで供養することができる。
【００３１】
この実施形態供養用アルバムには、供養写真装着部と、戒名装着部が設けられるとともに、さらに遺骨収納部を備えるので、この１つの供養用アルバムだけで、故人の仏事に係る法事を実行することができる。それゆえ、少人数の世話人、少ない予算でも、その法事を容易に遂行できる。
【符号の説明】
【００３２】
１Ａ、１Ｂ、１Ｃ，１Ｄ        供養用アルバム
２                            第１の表紙          
３                            第２の表紙        
４                            第１の表紙と第２の表紙の連接部
５                            第１と第２の表紙用生地
６                            第１の表紙用板体
７                            第２の表紙用板体
８ａ、８ｂ、８ｃ、８ｄ        供養写真掛止用テープ
９                            供養写真装着部
１０                          戒名装着部
１２                          物故者写真
１５                          戒名記載短冊
１７                              戒名短冊装着用ガイド枠板
１９                              戒名用長穴
１８                          戒名板
２０                          戒名板装着用ガイド枠板
２１                          磁性体金属板
２２                          磁石
２３                          遺骨収納部                            
【図１】
0003183889.tif 000003
【図２】
0003183889.tif 000004
【図３】
0003183889.tif 000005
【図４】
0003183889.tif 000006
【図５】
0003183889.tif 000007
【図６】
0003183889.tif 000008
【図７】
0003183889.tif 000009